(57)【要約】【課題】合成される２つの画像に異なる台形歪補正を施すことが可能な技術を提供する。【解決手段】プロジェクターは、第１画像情報に、画像の歪を補正する第１補正を施して第１補正画像情報を生成する第１補正部と、第２画像情報に、画像の歪を補正する第２補正を施して第２補正画像情報を生成する第２補正部と、前記第１補正画像情報と前記第２補正画像情報とを合成して合成画像情報を生成する合成部と、前記合成画像情報に応じた画像を投射する投射部と、を含む。前記第２補正は、前記第１補正と異なる。【選択図】図４
2018155899.tif 000002
【特許請求の範囲】
【請求項１】
第１画像情報に、画像の歪を補正する第１補正を施して第１補正画像情報を生成する第１補正部と、
第２画像情報に、画像の歪を補正する第２補正を施して第２補正画像情報を生成する第２補正部と、
前記第１補正画像情報と前記第２補正画像情報とを合成して合成画像情報を生成する合成部と、
前記合成画像情報に応じた画像を投射する投射部と、を含み、
前記第２補正は、前記第１補正と異なることを特徴とするプロジェクター。
【請求項２】
前記プロジェクターの動作モードに応じて、前記第１補正と前記第２補正との差を調整する補正制御部をさらに含むことを特徴とする請求項１に記載のプロジェクター。
【請求項３】
前記動作モードは、第１モードと第２モードとを含み、
前記補正制御部は、前記第１モードでの前記第２補正と前記第１補正との差を、前記第２モードでの前記差よりも大きくすることを特徴とする請求項２に記載のプロジェクター。
【請求項４】
第１画像情報に、画像の歪みを補正する第１および第３補正を施して第１歪補正画像情報を生成する第１歪補正部と、
第２画像情報と前記第１歪補正画像情報とを合成して第１合成画像情報を生成する合成部と、
前記第１合成画像情報に、画像の歪みを補正する第２補正を施して第２歪補正画像情報を生成する第２歪補正部と、
前記第２歪補正画像情報に応じた画像を投射する投射部と、を含み、
前記第２補正は、前記第１補正と異なり、
前記第３補正は、前記第２補正の逆補正であることを特徴とするプロジェクター。
【請求項５】
前記プロジェクターの動作モードが第１モードである場合には、前記第１画像情報を前記第１歪補正部に供給し、前記動作モードが第２モードである場合には、前記第１画像情報を前記第１歪補正部に供給することなく前記合成部に供給する供給部をさらに含み、
前記合成部は、前記第１モードでは前記第１合成画像情報を生成し、前記第２モードでは前記第１画像情報と前記第２画像情報とを合成して第２合成画像情報を生成し、
前記第２歪補正部は、前記第１モードでは前記第２歪補正画像情報を生成し、前記第２モードでは前記第２合成画像情報に前記第２補正を施して第３歪補正画像情報を生成し、
前記投射部は、前記第１モードでは前記第２歪補正画像情報に応じた画像を投射し、前記第２モードでは前記第３歪補正画像情報に応じた画像を投射することを特徴とする請求項４に記載のプロジェクター。
【請求項６】
第１画像情報に、画像の歪を補正する第１補正を施して第１補正画像情報を生成するステップと、
第２画像情報に、画像の歪を補正する第２補正を施して第２補正画像情報を生成するステップと、
前記第１補正画像情報と前記第２補正画像情報とを合成して合成画像情報を生成するステップと、
前記合成画像情報に応じた画像を投射するステップと、を含み、
前記第２補正は、前記第１補正と異なることを特徴とするプロジェクターの制御方法。
【請求項７】
第１画像情報に、画像の歪みを補正する第１および第３補正を施して第１歪補正画像情報を生成するステップと、
第２画像情報と前記第１歪補正画像情報とを合成して第１合成画像情報を生成するステップと、
前記第１合成画像情報に、画像の歪みを補正する第２補正を施して第２歪補正画像情報を生成するステップと、
前記第２歪補正画像情報に応じた画像を投射するステップと、を含み、
前記第２補正は、前記第１補正と異なり、
前記第３補正は、前記第２補正の逆補正であることを特徴とするプロジェクターの制御方法。
【発明の詳細な説明】
【技術分野】
【０００１】
本発明は、プロジェクターおよびプロジェクターの制御方法に関する。
【背景技術】
【０００２】
特許文献１には、台形歪補正が施された２つの画像を合成して合成画像を生成し、この合成画像をスクリーンに投射するプロジェクターが記載されている。特許文献１に記載のプロジェクターは、合成される２つの画像としてＯＳＤメニューと投射用画像とを用い、ＯＳＤメニューと投射用画像とに対して同一の台形歪補正を施す。
【先行技術文献】
【特許文献】
【０００３】
【特許文献１】特許第４２５２６７１号公報
【発明の概要】
【発明が解決しようとする課題】
【０００４】
特許文献１に記載のプロジェクターは、例えば、投射用画像として照明用画像（例えば、単色の画像）が用いられると、照明装置として使用可能になる。
プロジェクターが照明装置として使用される状況でも、ＯＳＤメニューのような視認性を必要とする画像には、視認性を確保するための台形歪補正が要求される。一方、照明用画像には、視認性を確保するための台形歪補正はあまり要求されず、むしろ、照明用画像の投射領域を照明対象の領域（利用者が照明光をあてたい領域）に合わせるための台形歪補正が要求される。つまり、プロジェクターが照明装置として使用される状況では、合成される２つの画像に対して別々の台形歪補正を施すことが要求される。
特許文献１に記載のプロジェクターは、合成される２つの画像に対して同一の台形歪補正を施すため、合成される２つの画像に対して別々の台形歪補正を施すことができなかった。
【０００５】
本発明は上述した事情に鑑みてなされたものであり、合成される２つの画像に対して異なる台形歪補正を施すことが可能な技術を提供することを解決課題とする。
【課題を解決するための手段】
【０００６】
本発明に係るプロジェクターの一態様は、第１画像情報に、画像の歪を補正する第１補正を施して第１補正画像情報を生成する第１補正部と、第２画像情報に、画像の歪を補正する第２補正を施して第２補正画像情報を生成する第２補正部と、前記第１補正画像情報と前記第２補正画像情報とを合成して合成画像情報を生成する合成部と、前記合成画像情報に応じた画像を投射する投射部と、を含み、前記第２補正は、前記第１補正と異なることを特徴とする。
この態様によれば、合成される２つの画像に対して異なる台形歪補正を施すことが可能になる。
【０００７】
上述したプロジェクターの一態様において、前記プロジェクターの動作モードに応じて、前記第１補正と前記第２補正との差を調整する補正制御部をさらに含むことが望ましい。
この態様によれば、合成される２つの画像に対してそれぞれ施される台形歪補正の関係を動作モードに適した関係にすることが可能になる。
【０００８】
上述したプロジェクターの一態様において、前記動作モードは、第１モードと第２モードとを含み、前記補正制御部は、前記第１モードでの前記第２補正と前記第１補正との差を、前記第２モードでの前記差よりも大きくすることが望ましい。
この態様によれば、プロジェクターは、第１モードでは表示装置よりも照明装置に適した状態になり、第２モードでは照明装置よりも表示装置に適した状態になる。
【０００９】
本発明に係るプロジェクターの一態様は、第１画像情報に、画像の歪みを補正する第１および第３補正を施して第１歪補正画像情報を生成する第１歪補正部と、第２画像情報と前記第１歪補正画像情報とを合成して第１合成画像情報を生成する合成部と、前記第１合成画像情報に、画像の歪みを補正する第２補正を施して第２歪補正画像情報を生成する第２歪補正部と、前記第２歪補正画像情報に応じた画像を投射する投射部と、を含み、前記第２補正は、前記第１補正と異なり、前記第３補正は、前記第２補正の逆補正であることを特徴とする。
この態様によれば、合成される２つの画像に対して異なる台形歪補正を施すことが可能になる。
【００１０】
上述したプロジェクターの一態様において、前記プロジェクターの動作モードが第１モードである場合には、前記第１画像情報を前記第１歪補正部に供給し、前記動作モードが第２モードである場合には、前記第１画像情報を前記第１歪補正部に供給することなく前記合成部に供給する供給部をさらに含み、前記合成部は、前記第１モードでは前記第１合成画像情報を生成し、前記第２モードでは前記第１画像情報と前記第２画像情報とを合成して第２合成画像情報を生成し、前記第２歪補正部は、前記第１モードでは前記第２歪補正画像情報を生成し、前記第２モードでは前記第２合成画像情報に前記第２補正を施して第３歪補正画像情報を生成し、前記投射部は、前記第１モードでは前記第２歪補正画像情報に応じた画像を投射し、前記第２モードでは前記第３歪補正画像情報に応じた画像を投射することが望ましい。
この態様によれば、プロジェクターは、第１モードでは表示装置よりも照明装置に適した状態になり、第２モードでは照明装置よりも表示装置に適した状態になる。
【００１１】
本発明に係るプロジェクターの制御方法の一態様は、第１画像情報に、画像の歪を補正する第１補正を施して第１補正画像情報を生成するステップと、第２画像情報に、画像の歪を補正する第２補正を施して第２補正画像情報を生成するステップと、前記第１補正画像情報と前記第２補正画像情報とを合成して合成画像情報を生成するステップと、前記合成画像情報に応じた画像を投射するステップと、を含み、前記第２補正は、前記第１補正と異なることを特徴とする。
この態様によれば、合成される２つの画像に対して異なる台形歪補正を施すことが可能になる。
【００１２】
本発明に係るプロジェクターの制御方法の一態様は、第１画像情報に、画像の歪みを補正する第１および第３補正を施して第１歪補正画像情報を生成するステップと、第２画像情報と前記第１歪補正画像情報とを合成して第１合成画像情報を生成するステップと、前記第１合成画像情報に、画像の歪みを補正する第２補正を施して第２歪補正画像情報を生成するステップと、前記第２歪補正画像情報に応じた画像を投射するステップと、を含み、前記第２補正は、前記第１補正と異なり、前記第３補正は、前記第２補正の逆補正であることを特徴とする。
この態様によれば、合成される２つの画像に対して異なる台形歪補正を施すことが可能になる。
【図面の簡単な説明】
【００１３】
【図１】本発明を適用した第１実施形態に係るプロジェクター１を示した図である。
【図２】ＯＳＤ画像と背景画像に同一の台形歪補正を施した例を示した図である。
【図３】ＯＳＤ画像と背景画像に互いに異なる台形歪補正を施した例を示した図である。
【図４】プロジェクター１の構成を模式的に示した図である。
【図５】記憶部１０３の一例を示した図である。
【図６】投射部１０５の一例を示した図である。
【図７】プロジェクター１の動作を説明するためのフローチャートである。
【図８】本発明を適用した第２実施形態に係るプロジェクター１Ａを示した図である。
【図９】プロジェクター１Ａの動作を説明するためのフローチャートである。
【発明を実施するための形態】
【００１４】
以下、図面を参照しながら本発明に係る実施の形態を説明する。なお、図面において各部の寸法および縮尺は実際のものと適宜異なる。また、以下に記載する実施の形態は、本発明の好適な具体例である。このため、本実施形態には、技術的に好ましい種々の限定が付されている。しかしながら、本発明の範囲は、以下の説明において特に本発明を限定する旨の記載がない限り、これらの形態に限られるものではない。
【００１５】
＜第１実施形態＞
図１は、本発明を適用した第１実施形態に係るプロジェクター１を示した図である。プロジェクター１は、字（例えば、文字または数字）を有するＯＳＤ画像を背景画像の上に重畳した合成画像を投射する。プロジェクター１は、背景画像に施す台形歪補正と、ＯＳＤ画像に施す台形歪補正とを互いに異ならせることができる。
【００１６】
プロジェクター１が表示装置として使用される場合、背景画像として、例えば、字、人物、動物または風景等を表す画像（以下「表示用画像」とも称する）が用いられる。このため、ＯＳＤ画像と背景画像（表示用画像）の両方に、視認性が要求される可能性が高い。特に、背景画像として、文字または数字を表す画像が用いられる場合には、視認性に加えて、可読性および判読性も要求される。
【００１７】
したがって、プロジェクター１が表示装置として使用される場合には、図２に示したように、壁等の投射面２に表示されるＯＳＤ画像３および背景画像４が歪んでいないこと、つまり、ＯＳＤ画像３および背景画像４に対して、視認性を確保するための台形歪補正が施されることが望まれる。
【００１８】
一方、プロジェクター１が照明装置として使用される場合、背景画像として、例えば、単色の画像または単なる模様を示す画像（以下「照明用画像」とも称する）が用いられる。このため、背景画像（照明用画像）に対しては、視認性が要求される可能性が低い。
【００１９】
したがって、プロジェクター１が照明装置として使用される場合には、図３に示したように、ＯＳＤ画像３は歪んでいないことが望まれるが、背景画像（照明用画像）４は歪んでいないことよりも照明対象の領域５に投射されることが望まれる。さらに言えば、背景画像４に示される特定の画像部分（例えば、図３に示したスポットライトを表す画像部分）４ａが照明対象の領域５における特定領域５ａ（スポットライトが照射される領域）に投射されることが望まれる。
【００２０】
ここで、画像部分４ａが単色の画像である場合、投射面２上で背景画像４が歪を有することによって、画像部分４ａは、特定領域５ａにおいてグラデーション効果（画像部分４ａにおいて、投射面２の下端２ａに近いほど暗くなる効果）を有することになる。
【００２１】
プロジェクター１は、背景画像に施す台形歪補正と、ＯＳＤ画像に施す台形歪補正とを互いに異ならせることができるので、図２に示した投射態様にも図３に示した投射態様にも対応できる。
【００２２】
図４は、プロジェクター１を模式的に示した図である。
プロジェクター１は、動作モードとして「照明モード」と「表示モード」とを有する。照明モードは第１モードの一例であり、表示モードは第２モードの一例である。プロジェクター１は、画像情報入力部１０１と、入力操作受取部１０２と、記憶部１０３と、処理部１０４と、投射部１０５とを含む。
【００２３】
画像情報入力部１０１は、ＰＣ（パーソナルコンピューター）等の処理装置から画像情報を受け取る。この画像情報は、ＯＳＤ画像の背景となる画像を表す。以下、画像情報入力部１０１が受け取る画像情報を「背景画像情報」とも称する。背景画像情報が示す画像を「背景画像」とも称する。背景画像情報は、第２画像情報の一例である。画像情報を出力する処理装置は、ＰＣに限らず適宜変更可能である。
【００２４】
入力操作受取部１０２は、例えば、各種の操作ボタンまたはタッチパネルである。入力操作受取部１０２は、使用者の入力操作で入力された情報（例えば、ＯＳＤ画像の生成指示、歪補正量、および動作モードの切換え指示）を受け取る。入力操作受取部１０２は、使用者から受け取った入力操作に応じた情報を無線または有線で送信するリモートコントローラー等であってもよい。その場合、プロジェクター１は、リモートコントローラーが送信した情報を受信する受信部を備える。リモートコントローラーは、使用者の入力操作を受け付ける各種の操作ボタン、操作キーまたはタッチパネルを備える。
【００２５】
記憶部１０３は、コンピューターが読み取り可能な記録媒体である。記憶部１０３は、プロジェクター１の動作を規定するプログラムと、種々の情報（例えば、画像情報、動作モードを示す動作モード情報、第１歪補正量を示す第１歪補正量情報、および第２歪補正量を示す第２歪補正量情報）とを記憶する。
【００２６】
図５は、記憶部１０３の一例を示した図である。図５では、記憶部１０３は、プログラム１０３ａと、画像情報１０３ｂと、第１歪補正量情報１０３ｃと、第２歪補正量情報１０３ｄと、動作モード情報１０３ｅとを記憶する。
【００２７】
説明を図４に戻す。処理部１０４は、ＣＰＵ（Central Processing Unit）等のコンピューターである。処理部１０４は、記憶部１０３に記憶されているプログラム１０３ａを読み取り実行することによって、ＯＳＤ画像生成部１０６と、台形歪補正部１０７および１０８と、合成部１０９と、画像制御部１１０と、歪補正制御部１１１とを実現する。
【００２８】
ＯＳＤ画像生成部１０６は、文字または数字等の字を有するＯＳＤ画像を示すＯＳＤ画像情報を生成する。ＯＳＤ画像は、プロジェクター１の各種の調整対象（例えば、コントラスト、明るさ等）の状態を表示するメニュー画面である。ＯＳＤ画像は、文字または数字等の字を有する画像とは異なる画像でもよい。なお、ＯＳＤ画像は、視認性を必要とする画像であることが望ましい。ＯＳＤ画像情報は、第１画像情報の一例である。ＯＳＤ画像生成部１０６は、入力操作受取部１０２を介してＯＳＤ画像の生成指示を受け取ると、ＯＳＤ画像情報を生成する。
【００２９】
台形歪補正部１０７は、第１補正部の一例である。台形歪補正部１０７は、ＯＳＤ画像情報に対して台形歪補正を施して第１補正画像情報を生成する。以下、台形歪補正部１０７が施す台形歪補正を「第１補正」とも称する。
【００３０】
台形歪補正部１０８は、第２補正部の一例である。台形歪補正部１０８は、背景画像情報に対して台形歪補正を施して第２補正画像情報を生成する。以下、台形歪補正部１０８が施す台形歪補正を「第２補正」とも称する。なお、台形歪補正部１０８は、記憶部１０３に記憶されている画像情報１０３ｂに対して第２補正を施して第２補正画像情報を生成してもよい。
【００３１】
合成部１０９は、第１補正画像情報と第２補正画像情報とを合成して合成画像情報を生成する。合成部１０９は、第２補正画像情報の表す画像（第２補正が施された背景画像）の上に第１補正画像情報の表す画像（第１補正が施されたＯＳＤ画像）が重畳された合成画像を表す画像情報を、合成画像情報として生成する。
【００３２】
画像制御部１１０は、合成画像情報に画像処理を施して合成画像信号を生成する。例えば、画像制御部１１０は、合成画像情報の解像度を投射部１０５の解像度に合わせる解像度変換を実行して合成画像信号を生成する。
【００３３】
投射部１０５は、合成画像信号に応じた画像を投射面２（図１参照）に投射する。合成画像信号は、合成画像情報に対応している。
【００３４】
図６は、投射部１０５の一例を示した図である。投射部１０５は、光源１１、光変調装置の一例である３つの液晶ライトバルブ１２（１２Ｒ，１２Ｇ，１２Ｂ）、投射光学系の一例である投射レンズ１３、ライトバルブ駆動部１４等を含む。投射部１０５は、光源１１から射出された光を液晶ライトバルブ１２で変調して投射画像（画像光）を形成し、この投射画像を投射レンズ１３から拡大投射する。
【００３５】
光源１１は、キセノンランプ、超高圧水銀ランプ、ＬＥＤ（Light Emitting Diode）、またはレーザー光源等からなる光源部１１ａと、光源部１１ａが放射した光の方向のばらつきを低減するリフレクター１１ｂとを含む。光源１１から射出された光は、不図示のインテグレーター光学系によって輝度分布のばらつきが低減され、その後、不図示の色分離光学系によって光の３原色である赤色（Ｒ）、緑色（Ｇ）、青色（Ｂ）の色光成分に分離される。Ｒ，Ｇ，Ｂの色光成分は、それぞれ液晶ライトバルブ１２Ｒ，１２Ｇ，１２Ｂに入射する。
【００３６】
液晶ライトバルブ１２は、一対の透明基板間に液晶が封入された液晶パネル等によって構成される。液晶ライトバルブ１２には、マトリクス状に配列された複数の画素１２ｐからなる矩形の画素領域１２ａが形成されており、液晶に対して画素１２ｐごとに駆動電圧を印加可能である。ライトバルブ駆動部１４が、画像制御部１１０から入力される合成画像信号に応じた駆動電圧を各画素１２ｐに印加すると、各画素１２ｐは、合成画像信号に応じた光透過率に設定される。このため、光源１１から射出された光は、画素領域１２ａを透過することで変調され、合成画像信号に応じた画像が色光ごとに形成される。
【００３７】
各色の画像は、図示しない色合成光学系によって画素１２ｐごとに合成され、カラー画像（カラー画像光）である投射画像が生成される。投射画像は、投射レンズ１３によって投射面２に拡大投射される。
【００３８】
図４に戻って、歪補正制御部１１１は、第１補正（台形歪補正部１０７が実行する台形歪補正）と、第２補正（台形歪補正部１０８が実行する台形歪補正）とを制御する。
【００３９】
歪補正制御部１１１は、入力操作受取部１０２から第１歪補正量情報１０３ｃを受け取ると、第１歪補正量情報１０３ｃを記憶部１０３に記憶する。第１歪補正量情報１０３ｃが表す第１歪補正量は、投射面２に投射された画像の歪みを小さくするための歪補正量である。
【００４０】
歪補正制御部１１１は、入力操作受取部１０２から、第２歪補正量情報１０３ｄを受け取ると、第２歪補正量情報１０３ｄを記憶部１０３に記憶する。第２歪補正量情報１０３ｄが表す第２歪補正量は、投射面２に投射された背景画像４（図３参照）を照明対象の領域５に合わせるように調整するための歪補正量である。第２歪補正量情報１０３ｄは、第１歪補正量情報１０３ｃと異なる。よって、第２歪補正量情報１０３ｄに応じた台形歪補正は、第１歪補正量情報１０３ｃに応じた台形歪補正と異なる。
【００４１】
歪補正制御部１１１は、入力操作受取部１０２から、動作モードの切換え指示を受け取ると、記憶部１０３に記憶されている動作モード情報１０３ｅを更新して動作モードを切り換える。例えば、歪補正制御部１１１は、動作モード情報１０３ｅが照明モードを示している状況で動作モードの切換え指示を受け取ると、動作モード情報１０３ｅが示す動作モードを照明モードから表示モードに切り換える。
【００４２】
歪補正制御部１１１は、第１歪補正量情報１０３ｃと第２歪補正量情報１０３ｄとを用いて、第１補正と第２補正を制御する。歪補正制御部１１１は、第１歪補正量情報１０３ｃと第２歪補正量情報１０３ｄとを用いることによって、プロジェクター１の動作モードに応じて、第１補正と第２補正との差を調整する。例えば、歪補正制御部１１１は、照明モードでの第１補正と第２補正との差を、表示モードでの第１補正と第２補正との差よりも大きくする。
【００４３】
次に、動作を説明する。以下では、入力操作受取部１０２がＯＳＤ画像の生成指示を受け取り、ＯＳＤ画像生成部１０６がＯＳＤ画像情報を生成しているとする。また、画像情報入力部１０１は、表示モードでは、表示用画像を示す表示画像情報を受け取り、照明モードでは、照明用画像を示す照明用画像情報を受け取るとする。
【００４４】
図７は、プロジェクター１の動作を説明するためのフローチャートである。
動作モード情報１０３ｅが表示モードを示す場合（ステップＳ１：ＹＥＳ）、歪補正制御部１１１は、記憶部１０３から第１歪補正量情報１０３ｃを読み取る。続いて、歪補正制御部１１１は、第１歪補正量情報１０３ｃを台形歪補正部１０７および１０８に設定する（ステップＳ２）。
【００４５】
台形歪補正部１０７は、第１歪補正量情報１０３ｃが設定されると、ＯＳＤ画像情報に対して、第１歪補正量情報１０３ｃに応じた台形歪補正を実行して第１補正画像情報を生成する（ステップＳ３）。
【００４６】
台形歪補正部１０８は、第１歪補正量情報１０３ｃが設定されると、背景画像情報（表示用画像情報）に対して、第１歪補正量情報１０３ｃに応じた台形歪補正を実行して第２補正画像情報を生成する（ステップＳ４）。
なお、ステップＳ３とステップＳ４の順番は逆でもよい。また、台形歪補正部１０７および１０８が、回路等のハードウェアで構成される場合、ステップＳ３とステップＳ４は同時に実行されてもよい。
【００４７】
続いて、合成部１０９は、第２補正画像情報の表す画像の上に第１補正画像情報の表す画像が重畳された合成画像を表す合成画像情報を生成する（ステップＳ５）。続いて、画像制御部１１０は、合成画像情報に画像処理を施して合成画像信号を生成する（ステップＳ６）。続いて、投射部１０５は、合成画像信号に応じた画像を投射面２に投射する（ステップＳ７）。
【００４８】
表示モードでは、第１歪補正量情報１０３ｃが台形歪補正部１０７および１０８に設定されるため、ＯＳＤ画像および背景画像に対して、視認性を確保するための台形歪補正（投射面２に投射された画像の歪みを小さくする歪補正）が施される。このため、例えば図２に示したように、投射面２には、歪んでいないＯＳＤ画像３および背景画像（表示用画像）４が表示される。
【００４９】
一方、動作モード情報１０３ｅが照明モードを示す場合（ステップＳ１：ＮＯ）、歪補正制御部１１１は、記憶部１０３から第１歪補正量情報１０３ｃと第２歪補正量情報１０３ｄとを読み取る。続いて、歪補正制御部１１１は、第１歪補正量情報１０３ｃを台形歪補正部１０７に設定し、第２歪補正量情報１０３ｄを台形歪補正部１０８に設定する（ステップＳ８）。
【００５０】
台形歪補正部１０７は、第１歪補正量情報１０３ｃが設定されると、ＯＳＤ画像情報に対して、第１歪補正量情報１０３ｃに応じた台形歪補正を実行して第１補正画像情報を生成する（ステップＳ９）。
【００５１】
台形歪補正部１０８は、第２歪補正量情報１０３ｄが設定されると、背景画像情報（照明用画像情報）に対して、第２歪補正量情報１０３ｄに応じた台形歪補正を実行して第２補正画像情報を生成する（ステップＳ１０）。ステップＳ９とステップＳ１０との順番は逆でもよい。また、台形歪補正部１０７および１０８が、回路等のハードウェアで構成される場合、ステップＳ９とステップＳ１０は同時に実行されてもよい。以下、ステップＳ５からＳ７が実行される。
【００５２】
照明モードでは、第１歪補正量情報１０３ｃが台形歪補正部１０７に設定され、第２歪補正量情報１０３ｄが台形歪補正部１０８に設定される。このため、ＯＳＤ画像に対しては、視認性を確保するための台形歪補正（投射面２に投射された画像の歪みを小さくする歪補正）が施され、背景画像に対しては、投射面２に投射された画像を照明対象の領域５に合わせる歪補正）が施される。したがって、例えば図３に示したように、投射面２には、歪んでいないＯＳＤ画像３と、照明対象の領域５に合わせた背景画像（照明用画像）４が表示される。
【００５３】
本実施形態に係るプロジェクター１およびプロジェクター１の制御方法によれば、合成される２つの画像（背景画像とＯＳＤ画像）に対して異なる台形歪補正を施すことが可能になる。このため、プロジェクター１が照明装置として使用されても、歪の少ないＯＳＤ画像を表示しつつ照明対象の領域を照明することが可能になる。
【００５４】
また、ＯＳＤ画像に対する台形歪補正には、動作モードに関わらず、第１歪補正量情報１０３ｃが用いられる。一方、背景画像に対する台形歪補正には、表示モードでは第１歪補正量情報１０３ｃが用いられ、照明モードでは第２歪補正量情報１０３ｄが用いられる。これは、歪補正制御部１１１が、照明モードでの第１補正と第２補正との差を、表示モードでの第１補正と第２補正との差よりも大きくすることを意味する。
本実施形態によれば、背景画像の種類（例えば、字を有する表示用画像と、字を有さない照明用画像）に応じて、台形歪補正の変更を制御することが可能になる。
【００５５】
なお、動作モードが表示モードから照明モードに切り替わると、台形歪補正部１０８は、背景画像情報に対する補正を、第１歪補正量情報１０３ｃを用いた補正から、第２歪補正量情報１０３ｄを用いた補正に切り替える。
また、動作モードが照明モードから表示モードに切り替わると、台形歪補正部１０８は、背景画像情報に対する補正を、第２歪補正量情報１０３ｄを用いた補正から、既に台形歪補正部１０７に設定されている第１歪補正量情報１０３ｃを用いた補正に切り替える。
動作モードが切り替わっても、台形歪補正部１０７は、第１歪補正量情報１０３ｃを用いた補正を維持する。
【００５６】
＜第２実施形態＞
図８は、本発明を適用した第２実施形態に係るプロジェクター１Ａを模式的に示した図である。プロジェクター１Ａは、プロジェクター１と同様に、動作モードとして「表示モード」と「照明モード」とを有し、表示装置および照明装置として使用され、ＯＳＤ画像を背景画像の上に重畳した合成画像を投射する。
【００５７】
プロジェクター１Ａは、プロジェクター１とは、記憶部１０３に記憶されたプログラムが異なり、処理部１０４がそのプログラムを実行することによって実現する機能部が異なり、記憶部１０３が、第２歪補正量情報１０３ｄに応じた台形歪補正に対する逆補正で用いられる第３歪補正量情報をさらに記憶する点において異なる。以下、プロジェクター１Ａにおいて、プロジェクター１と異なる点を中心に説明する。
【００５８】
プロジェクター１Ａでは、処理部１０４は、記憶部１０３に記憶されたプログラムを実行することによって、ＯＳＤ画像生成部１０６と、画像制御部１１０と、供給部１１２と、歪補正部１１３と、画像合成部１１４と、歪補正部１１５とを実現する。供給部１１２は、スイッチ１１６および１１７と補正制御部１１８とを含む。歪補正部１１３は、逆補正部１１９と台形歪補正部１２０とを含む。
【００５９】
供給部１１２は、照明モードでは、ＯＳＤ画像情報を、画像合成部１１４に供給することなく歪補正部１１３に供給する。また、供給部１１２は、表示モードでは、ＯＳＤ画像情報を、歪補正部１１３に供給することなく画像合成部１１４に供給する。
【００６０】
スイッチ１１６は、ＯＳＤ画像生成部１０６と歪補正部１１３の間に設けられている。スイッチ１１７は、ＯＳＤ画像生成部１０６と画像合成部１１４の間に設けられている。
【００６１】
補正制御部１１８は、照明モードでは、スイッチ１１６をオンにする共にスイッチ１１７をオフにし、表示モードでは、スイッチ１１６をオフにすると共にスイッチ１１７をオンにする。また、補正制御部１１８は、記憶部１０３から第１歪補正量情報１０３ｃと第２歪補正量情報１０３ｄと第３歪補正量情報を読み取り、第１歪補正量情報１０３ｃを台形歪補正部１２０に設定し、第２歪補正量情報１０３ｄを歪補正部１１５に設定し、第３歪補正量情報を逆補正部１１９に設定する。
【００６２】
歪補正部１１３は、第１歪補正部の一例である。歪補正部１１３は、照明モードのとき、ＯＳＤ画像情報に対して、第１歪補正量情報１０３ｃに応じた台形歪補正と、第３歪補正量情報に応じた台形歪補正とを施す。
【００６３】
逆補正部１１９は、ＯＳＤ画像情報に対して、第３歪補正量情報に応じた台形歪補正を実行する。第３歪補正量情報に応じた台形歪補正は、第３補正の一例である。第３補正は、歪補正部１１５で実行される台形歪補正の逆補正である。
【００６４】
台形歪補正部１２０は、逆補正部１１９の出力（第３補正が施されたＯＳＤ画像情報）に対して、第１歪補正量情報１０３ｃに応じた台形歪補正を実行して第１歪補正画像情報を生成する。第１歪補正量情報１０３ｃに応じた台形歪補正は、第１補正の一例である。
【００６５】
画像合成部１１４は、照明モードでは、背景画像情報と第１歪補正画像情報とを合成して第１合成画像情報を生成し、表示モードでは、背景画像情報とＯＳＤ画像情報とを合成して第２合成画像情報を生成する。
【００６６】
歪補正部１１５は、第２歪補正部の一例である。歪補正部１１５は、照明モードでは、第１合成画像情報に対して、第２歪補正量情報１０３ｄに応じた台形歪補正を実行して第２歪補正画像情報を生成する。第２歪補正量情報に応じた台形歪補正は、第２補正の一例である。歪補正部１１５は、表示モードでは、第２合成画像情報に対して、第２歪補正量情報１０３ｄに応じた台形歪補正を実行して第３歪補正画像情報を生成する。
【００６７】
画像制御部１１０は、歪補正部１１５が出力する歪補正画像情報（第２歪補正画像情報および第３歪補正画像情報）に対して画像処理を施して合成画像信号を生成する。投射部１０５は、画像制御部１１０が生成した合成画像信号に応じた画像を投射面２に投射する。
【００６８】
次に、動作を説明する。
図９は、プロジェクター１Ａの動作を説明するためのフローチャートである。以下では、台形歪補正部１２０に第１歪補正量情報１０３ｃが設定され、歪補正部１１５に第２歪補正量情報１０３ｄが設定され、逆補正部１１９に第３歪補正量情報が設定されており、ＯＳＤ画像生成部１０６がＯＳＤ画像情報を生成しているとする。
【００６９】
動作モード情報１０３ｅが表示モードを示す場合（ステップＳ１：ＹＥＳ）、補正制御部１１８は、スイッチ１１６をオフにすると共にスイッチ１１７をオンにする（ステップＳ１１）。このため、ＯＳＤ画像情報は、ＯＳＤ画像生成部１０６からスイッチ１１７を介して画像合成部１１４に出力される。
【００７０】
画像合成部１１４は、背景画像情報とＯＳＤ画像情報とを合成して第２合成画像情報を生成する（ステップＳ１２）。続いて、歪補正部１１５は、第２合成画像情報に対して、第２歪補正量情報１０３ｄに応じた台形歪補正を実行して第３歪補正画像情報を生成する（ステップＳ１３）。続いて、画像制御部１１０は、歪補正部１１５が出力する歪補正画像情報に対して画像処理を施して合成画像信号を生成する（ステップＳ６）。続いて、投射部１０５は、画像制御部１１０が生成した合成画像信号に応じた画像を投射面２に投射する（ステップＳ７）。
【００７１】
一方、動作モード情報１０３ｅが照明モードを示す場合（ステップＳ１：ＮＯ）、補正制御部１１８は、スイッチ１１６をオンにすると共にスイッチ１１７をオフにする（ステップＳ１４）。このため、ＯＳＤ画像情報は、ＯＳＤ画像生成部１０６からスイッチ１１６を介して逆補正部１１９に出力される。
【００７２】
逆補正部１１９は、ＯＳＤ画像情報に対して、第３歪補正量情報に応じた台形歪補正（逆補正）を実行する（ステップＳ１５）。次に、台形歪補正部１２０は、逆補正部１１９の出力に対して、第１歪補正量情報１０３ｃに応じた台形歪補正を実行して第１歪補正画像情報を生成する（ステップＳ１６）。次に、画像合成部１１４は、背景画像情報と第１歪補正画像情報とを合成して第１合成画像情報を生成する（ステップＳ１７）。次に、歪補正部１１５は、第１合成画像情報に対して、第２歪補正量情報１０３ｄに応じた台形歪補正を実行して第２歪補正画像情報を生成する（ステップＳ１８）。以降、ステップＳ６〜ステップ７が実行される。
【００７３】
本実施形態によれば、合成される２つの画像（背景画像とＯＳＤ画像）に対して異なる台形歪補正を施すことが可能になる。このため、プロジェクター１Ａが照明装置として使用されても、歪の少ないＯＳＤ画像を表示しつつ投射対象の領域を照明することが可能になる。
【００７４】
＜変形例＞
本発明は、上述した実施形態に限定されるものではなく、例えば、次に述べるような各種の変形が可能である。また、次に述べる変形の態様の中から任意に選択された一または複数の変形を適宜組み合わせることもできる。
【００７５】
＜変形例１＞
各実施形態では、歪補正制御部１１１および補正制御部１１８は、ＯＳＤ画像に施される台形歪補正と、背景画像に施される台形歪補正との関係（以下「補正関係」と称する）を、動作モードに応じて変更した。
しかしながら、歪補正制御部１１１または補正制御部１１８は、補正関係を、動作モードとは異なる条件に応じて変更してもよい。例えば、歪補正制御部１１１または補正制御部１１８は、背景画像が表す内容（例えば、背景画像が字を有するか否か）に応じて、補正関係を変更してもよい。例えば、歪補正制御部１１１または補正制御部１１８は、背景画像が字を有している場合には、補正関係を表示モードと同様に設定し、背景画像が字を有していない場合には、補正関係を照明モードと同様に設定する。この場合、背景画像が字を有しているか否かを示す識別情報が背景画像に付され、歪補正制御部１１１または補正制御部１１８は、この識別情報に基づいて、動作モードを照明モードと表示モードとの間で切り換える。
【００７６】
＜変形例２＞
処理部１０４がプログラムを実行することによって実現される要素の全部または一部は、例えばＦＰＧＡ（field programmable gate array）またはＡＳＩＣ（Application Specific IC）等の電子回路によりハードウェアで実現されてもよいし、ソフトウェアとハードウェアとの協働により実現されてもよい。
【００７７】
＜変形例３＞
投射部１０５では、光変調装置として液晶ライトバルブが用いられたが、光変調装置は液晶ライトバルブに限らず適宜変更可能である。例えば、光変調装置として、３枚の反射型の液晶パネルを用いた構成であってもよい。また、光変調装置は、１枚の液晶パネルを用いた方式、３枚のデジタルミラーデバイス（ＤＭＤ）を用いた方式、１枚のデジタルミラーデバイスを用いた方式等の構成であってもよい。光変調装置として１枚のみの液晶パネルまたはＤＭＤが用いられる場合には、色分離光学系や色合成光学系に相当する部材は不要である。また、液晶パネルおよびＤＭＤ以外にも、光源が発した光を変調可能な構成は、光変調装置として採用できる。
【符号の説明】
【００７８】
１，１Ａ…プロジェクター、１０１…画像情報入力部、１０２…入力操作受取部、１０３…記憶部、１０４…処理部、１０５…投射部、１０６…ＯＳＤ画像生成部、１０７…台形歪補正部、１０８…台形歪補正部、１０９…合成部、１１０…画像制御部。
【図１】
2018155899.tif 000003
【図２】
2018155899.tif 000004
【図３】
2018155899.tif 000005
【図４】
2018155899.tif 000006
【図５】
2018155899.tif 000007
【図６】
2018155899.tif 000008
【図７】
2018155899.tif 000009
【図８】
2018155899.tif 000010
【図９】
2018155899.tif 000011